(57)【要約】      （修正有）【課題】露光中のフイルム移動を防止して画質を向上させる。【解決手段】シャッタボタン６が押下されると、押圧ロッドが係止レバー９１の立ち下がり片９１ｃを押圧し、係止レバー９１は反時計方向に回動される。爪部９１ａは、係合突起９４と被係合突起９５の係合が解除される直前の状態でも、押圧突起６７ｂと係合している。更に係止レバー９１が反時計方向へ回動されると、係合突起９４と被係合突起９５の係合が解除され、シャッタ駆動レバー９２が反時計方向に回動される。シャッタ開口が開閉され、写真フイルム２２への露光が行われる。爪部９１ａが巻止めカム９７の溝９７ａから抜け出るまでの間は、従動スプロケット９８の回動が阻止されている。【選択図】        図２
2005189879.tif 000002
【特許請求の範囲】
【請求項１】
フイルムベースにアニールドポリエチレンナフタレート（Ａ−ＰＥＮ）を用いた写真フイルムを予め装填するとともに、この写真フイルムの巻上げ操作に伴うフイルム移送に従動して回転され、シャッタチャージを行なうシャッタチャージ機構の従動スプロケットを備えたレンズ付きフイルムユニットにおいて、
前記シャッタチャージ機構に少なくも写真フイルムへの露光中は従動スプロケットの回転を阻止する手段を設けたことを特徴とするレンズ付きフイルムユニット。
【請求項２】
前記手段は、前記シャッタチャージ機構のシャッタ駆動レバーをチャージ位置に係止する係止レバーが、前記写真フイルムへの露光中は、前記従動スプロケットに係合して、その回転を阻止することを特徴とする請求項１記載のレンズ付きフイルムユニット。
【発明の詳細な説明】
【技術分野】
【０００１】
本発明は、露光中のフイルム移動を防止するレンズ付きフイルムユニットに関するものである。
【背景技術】
【０００２】
簡単な露光機構を備えるとともに、予め未露光の写真フイルムとパトローネとが製造時に装填され、面倒なフイルム装填と巻戻し操作を不要にしたレンズ付きフイルムユニットとして、例えば「写ルンですSuper800（商品名）」等が本出願人より製造販売されている。このようなレンズ付きフイルムユニットでは、撮影ごとにパトローネのスプールに係合された巻上げノブを回転操作して露光済みの写真フイルムをパトローネ内に巻き上げ、このときの写真フイルムの移送を利用してシャッタチャージを行なった後、露光機構の係止レバーが巻上げノブの外周に形成された歯列に係合して巻上げノブのそれ以上の回転を阻止するようにしてある。
【０００３】
また、このようなフイルム巻上げ機構では、フイルム巻上げ操作の際に、巻上げノブをフイルム巻上げ方向とは逆の方向に回転操作すると、露光済みのコマがパトローネから引き出されてしまうため、巻上げノブの逆転操作を阻止する逆転操作防止機構が設けられている。この機構は、巻上げノブの外周に形成された歯列と、歯列に弾性自在に係合する逆転防止爪とから構成されている。この逆転防止爪は、巻上げノブのフイルム巻上げ方向への正転操作の際には弾性変形してその回転を許容し、また巻上げノブの逆転操作の際には歯列の谷に入り込んでその回転を阻止する。
【０００４】
一方、非特許文献１にも紹介されたＡＰＳ（Advanced Photo System ）では、従来より小型化したパトローネ内により多くの撮影コマ数（例えば４０コマ）を確保した写真フイルムを収納するため、このフイルムベースとして厚みを薄くしても剛性が高く十分な強度を有するアニールドポリエチレンナフタレート（Ａ−ＰＥＮ）を用いることが提案されている。
【非特許文献１】雑誌「写真工業」（（株）写真工業出版社  1994年12月号 p.11 ）
【発明の開示】
【発明が解決しようとする課題】
【０００５】
ところが、上記のような新タイプの写真フイルムをレンズ付きフイルムユニットに用いた場合、撮影中に時として画面ブレが発生することが分かった。この原因としては、種々のケースが考えられる。例えば写真フイルムを巻き上げる際に写真フイルムに引っ張り力がかかっており、これが巻止め機構によって溜められた状態になっている。そして、レリーズ操作と同時に巻止めが解除されるから、この瞬間に写真フイルムにかかっていた引っ張り力が弛み、剛性が強い写真フイルムが振動する。
【０００６】
また、シャッタチャージ時には、巻上げノブと従動スプロケットとの間の写真フイルムにはテンションがかかった状態になっており、これがレリーズ操作の瞬間に解除されると、剛性が強い写真フイルムが元のカール状態に戻ろうとするカール収縮が発生して振動する。また、シャッタチャージ時の巻上げノブの回転位置によっては、巻上げノブの歯列と逆転防止爪との噛み合わせにより、逆転防止爪が巻上げノブを巻上げ方向に回転させる方向に付勢する状態になる場合がある。このような状態のままレリーズ操作を行なうと、巻止めが解除された瞬間に写真フイルムがパトローネ側に移動して画面ブレが発生する。
【０００７】
また、新タイプのパトローネは、フイルム出入口に従来のようなテレンプを用いずに、回転式の遮光蓋を用いている。このため、遮光蓋が開き、写真フイルムがフイルム出入口から突出した状態では、フイルム出入口の開口サイズの範囲で写真フイルムが自由に移動可能となっている。したがって、シャッタ羽根の揺動に伴うショック等によって露光中の写真フイルムが動くことがある。
【０００８】
本発明は、上記課題を解決するためになされたもので、露光中のフイルム移動を防止して画質を向上させたレンズ付きフイルムユニットを提供することを目的とする。
【課題を解決するための手段】
【０００９】
本発明のレンズ付きフイルムユニットは、フイルムベースにアニールドポリエチレンナフタレート（Ａ−ＰＥＮ）を用いた写真フイルムを予め装填するとともに、この写真フイルムの巻上げ操作に伴うフイルム移送に従動して回転され、シャッタチャージを行なうシャッタチャージ機構の従動スプロケットを備えたレンズ付きフイルムユニットにおいて、前記シャッタチャージ機構に少なくも写真フイルムへの露光中は従動スプロケットの回転を阻止する手段を設けたことを特徴とする。前記手段は、シャッタ駆動レバーをチャージ位置に係止する係止レバーが、写真フイルムへの露光中は、前記従動スプロケットに係合して、その回転を阻止することを特徴とする。
【発明の効果】
【００１０】
また、本発明のレンズ付きフイルムユニットによれば、露光中に従動スプロケットを固定するようにしたので、露光中のフイルム移動量をきわめて少なくすることができ、画質の向上に寄与できる。
【発明を実施するための最良の形態】
【００１１】
本発明の実施形態の外観を示す図１において、レンズ付きフイルムユニット２は、パトローネ付きの写真フイルムや各種撮影機構を内蔵したユニット本体３と、この中央部の縦方向に巻き付けて貼着した帯状のラベル４とから構成されている。ラベル４に覆われないユニット本体３の左右には、巻上げノブ５，シャッタボタン６，ストロボ発光部７，充電スイッチ８が配置され、ラベル４には、撮影レンズ９，ファインダ１０及び撮影枚数表示窓１１等を露出させるための穴が設けられている。
【００１２】
本実施形態のシャッタチャージ機構を示す図２〜図４において、このシャッタチャージ機構の係止レバー９１とシャッタ駆動レバー９２との係合は、係止レバー９１から下方に向けて突出された係合突起９４と、シャッタ駆動レバー９２から上方に向けて突出された被係合突起９５の下段部９５ａとが突き合わされることにより行われる。また、係止レバー９１の爪部９１ａは、巻止めカム９７の溝９７ａに挿入された状態で押圧突起６７ｂの縁と隙間なく接触されるようにほぼ矩形状をしている。
【００１３】
シャッタボタン６が押下されると、シャッタボタン６の下部に形成された押圧ロッドが係止レバー９１の立ち下がり片９１ｃを押圧し、図３に示すように、係止レバー９１は反時計方向に回動される。係止レバー９１の爪部９１ａは、係合突起９４と被係合突起９５との係合が解除される直前の状態でも、押圧突起６７ｂとわずかに係合した状態になっている。
【００１４】
係止レバー９１が図３に示す位置から更に反時計方向へ回動されると、係合突起９４と被係合突起９５の下段部９５ａとの係合が解除され、第１バネ５２の付勢によって、図４に示すように、シャッタ駆動レバー９２は反時計方向に回動される。シャッタ駆動レバー９２が反時計方向に回動されると、蹴飛ばしアーム９２ａによりシャッタ羽根の作用片（図示せず）が蹴飛ばされ、シャッタ羽根の揺動によりシャッタ開口が開閉され、写真フイルム２２への露光が行われる。
【００１５】
係止レバー９１の係合突起９４の近傍には、凸部９９が一体に形成されている。この凸部９９には、図４に示すように、シャッタレリーズ時にシャッタ駆動レバー９２が反時計方向に回動する際に、被係合突起９５の上段部９５ｂが突き当てられる。第１バネ５２と第２バネ５３とでは、第２バネ５３の方が付勢力が弱いので、係止レバー９１は第２バネ５３の付勢に抗して反時計方向に回動され、爪部９１ａが巻止めカム９７の溝９７ａから抜け出され、巻止め爪９１ｂが巻上げノブ５の歯列５ａから離れてフイルム巻止めが解除される。これにより、続く写真フイルム２２の巻き上げが可能となる。
【００１６】
このように、係合突起９４と被係合突起９５の下段部９５ａとの係合が解除されシャッタ開口が開閉されてから、爪部９１ａが巻止めカム９７の溝９７ａから抜け出るまでの間は、従動スプロケット９８の反時計方向（巻上げ方向）への回動が阻止されている。また、この間、巻上げノブ５は逆転防止爪により逆転（時計方向）が防止されているから、シャッタがチャージされてから写真フイルム２２への露光が終了するまでの間、写真フイルム２２の移動範囲は写真フイルム２２のパーフォレーションと従動スプロケット９８の歯９８ａとの隙間分のみであるから、写真フイルム２２の移動量がきわめて少なくなり、画質が向上する。
【００１７】
以上説明した実施形態は、新規な写真フイルムパトローネを装填したレンズ付きフイルムユニットであったが、従来の１３５タイプのパトローネとＡ−ＰＥＮベースの写真フイルムを装填したレンズ付きフイルムユニットでもよい。
【図面の簡単な説明】
【００１８】
【図１】本発明のレンズ付きフイルムユニットの外観を示す斜視図である。
【図２】フイルム巻止め時のシャッタチャージ機構を示す平面図である。
【図３】シャッタレリーズ直前のシャッタチャージ機構を示す平面図である。
【図４】シャッタレリーズ終了後のシャッタチャージ機構を示す平面図である。
【符号の説明】
【００１９】
２  レンズ付きフイルムユニット
５  巻上げノブ
６  シャッタボタン
２２  写真フイルム
９８  従動スプロケット
９２  シャッタ駆動レバー
９５  被係合突起
９１  係止レバー
９４  係合突起
９７  巻止めカム
【図１】
2005189879.tif 000003
【図２】
2005189879.tif 000004
【図３】
2005189879.tif 000005
【図４】
2005189879.tif 000006